(57)【要約】【課題】  再利用し易くするとともに、コードの損傷を防止可能な構造を持つことができる。【解決手段】  遊技者から見て前面側が開口され、開口を開閉可能に前面扉Ｓ２が支持された金属製の本体部Ｓ１と、本体部Ｓ１の内部と外部とを貫通する貫通穴３００，４００とが備えられている。この貫通穴３００，４００は、貫通穴３００，４００の縁部が折曲して形成されている。【選択図】    図４
2006006415.tif 000002
【特許請求の範囲】
【請求項１】
遊技者から見て前面側が開口され、該開口を開閉可能に前面扉が支持された金属製の箱体と、
前記箱体の内部と外部とを貫通する貫通穴とが備えられており、
前記貫通穴は、該貫通穴の縁部が折曲して形成されていることを特徴とする遊技機。
【請求項２】
前記貫通穴は、該貫通穴の縁部がヘミング加工されていることを特徴とする請求項１に記載の遊技機。
【発明の詳細な説明】
【技術分野】
【０００１】
本発明は、遊技者から見て前面側が開口され、該開口を開閉可能に前面扉が支持された箱体を備える遊技機に関する。
【背景技術】
【０００２】
従来において複数の遊技機は、所定の間隔を隔てて遊技場の島設備に取り付けられている（例えば、特許文献１）。この遊技機の筐体が木製で構成されている場合には、加工がし易いという反面、当該遊技機の筐体がネジ・釘などの固定部材により島設備に固定されると、該遊技機の筐体は固定部材による破損等が生じ易いという欠点がある。このため、木製で構成された筐体は、再利用を行うための部材としては適切ではなかった。
【０００３】
一方、遊技機の筐体が金属製で構成されている場合には、破損が生じ難く当初の形態が長時間に渡って保持されるとともに、また金属製の筐体が溶解されて他の形態として用いられることが可能であるため、当該金属製で構成された筐体は、再利用可能な部材として木製で構成された筐体よりも注目を集めている。
【特許文献１】特公平０３−７２３１３号公報
【発明の開示】
【発明が解決しようとする課題】
【０００４】
しなしながら、金属製の筐体は再利用し易いものの、該筐体に貫通穴が形成されると、該貫通穴が形成された際に貫通穴の縁部が刃状に突出された形状となるため、該貫通穴に挿通されたコードが損傷・断線され易いという問題が生じていた。
【０００５】
そこで、本発明は以上の点に鑑みてなされたものであり、再利用し易くするとともに、コードの損傷を防止可能な構造を持つことのできる遊技機を提供することを目的とする。
【課題を解決するための手段】
【０００６】
本発明は、上記課題を解決するために、遊技者から見て前面側が開口され、開口を開閉可能に前面扉が支持された金属製の箱体と、箱体の内部と外部とを貫通する貫通穴とが備えられており、貫通穴は、貫通穴の縁部が折曲して形成されていることを特徴とする。
【０００７】
上記発明においては、貫通穴は貫通穴の縁部がヘミング加工されてもよい。
【０００８】
上記発明においては、貫通穴は、電源を機器に供給可能にするコード、又は遊技に関する情報を外部に出力可能にするコードを挿通させるための穴であってもよい。
【０００９】
上記発明においては、遊技機はパチスロ機又は弾球式遊技機であってもよい。
【発明の効果】
【００１０】
本発明によれば、再利用し易くするとともに、コードの損傷を防止可能な構造を持つことができる。
【発明を実施するための最良の形態】
【００１１】
以下、本発明を実施するための最良の形態を、図面を参照しながら具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１２】
図１は本発明の一形態であるパチスロ機を示す正面図、図２は図１のパチスロ機に設けられたリールの外周面に表される図柄列を示す説明図、図３は図１のパチスロ機における筐体の内部構造を示す正面図である。
【００１３】
遊技機の一種であるパチスロ機１は、本体部（箱体）Ｓ１と、この本体部Ｓ１に対して開閉可能に取り付けられた前面扉Ｓ２とからなる筐体を有している（図３参照）。なお、ここでは本体部Ｓ１は金属製、前面扉Ｓ２は樹脂製又は金属製で構成されているものとする。
【００１４】
このようなパチスロ機１の外観正面を示す図１において、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインＬ１、Ｌ２Ａ、Ｌ２Ｂ、Ｌ３Ａ、Ｌ３Ｂが設けられている。また、表示窓５〜７の下方右側には、遊技者がメダルを入れるためのメダル投入口８が配置されている。
【００１５】
また、表示窓５〜７の左方には、上部から、４個の遊技状態表示ランプ９〜１２、３個の賭数表示ランプ１３〜１５、およびクレジット表示部１６、スタートランプ１７が設けられている。遊技状態表示ランプ９〜１２の詳細は、ビッグボーナス（以下、「ＢＢ」という。）遊技状態ランプ９、レギュラーボーナス（以下、「ＲＢ」という。）遊技状態ランプ１０、再遊技表示ランプ１１、遊技停止表示ランプ１２のことであり、ＢＢ遊技状態ランプ９はＢＢ遊技状態中に点灯、ＲＢ遊技状態ランプ１０はＲＢ遊技状態中に点灯、再遊技表示ランプ１１は再遊技（リプレイ）が発生した時に点灯、遊技停止表示ランプ１２は前回の遊技と今回の遊技の時間的間隔が所定時間未満の時やエラー発生時などに点灯するように制御され、賭数表示ランプ１３〜１５はメダル投入枚数に応じて点灯制御される。クレジット表示部１６は、２桁の７セグメントＬＥＤからなり、パチスロ機１に現在クレジットされているメダル数を表示する。スタートランプ１７は後述するスタートレバー３０の操作の受け付けが有効な時に点滅する。
【００１６】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム入賞時に、ＲＢゲームおよびジャックゲームの残り入賞可能回数をデジタル表示する。ＷＩＮランプ１９はＢＢまたはＲＢに内部当選し、後述する画像表示装置２２で前記ＢＢまたはＲＢが内部当選した旨が告知された場合に点灯する。また、ＷＩＮランプ１９はＢＢまたはＲＢに入賞した場合には必ず点灯する。配当枚数表示部２０は、２桁の７セグメントＬＥＤからなリ、入賞によるメダル払い出し枚数を表示する。インサートランプ２１はメダル投入口８にメダルの投入が受付可能な時に点灯する。
【００１７】
また、表示窓５〜７の直ぐ下方には液晶などの画像表示装置２２が設けられている。この画像表示装置２２には遊技のデモンストレーシヨン画面や複数ゲームに渡る演出画像が表示される。画像表示装置２２の右方の筺体の迫り出し部分３７には、メダル投入口８が設けられている。
【００１８】
また、画像表示装置２２の左側には十字キー２３、Ａボタン２４、Ｂボタン２５、１ＢＥＴスイッチ２６、２ＢＥＴスイッチ２７、および最大ＢＥＴスイッチ２８が設けられている。十字キー２３は上下左右の４方向にスイッチ操作され、Ａボタン２４およびＢボタン２５と共に操作されて画像表示装置２２に表示する情報を選択する際に使用される。また、ＢＥＴスイッチ２６〜２８は、クレジット表示部１６にメダル数が表示されてクレジットされている際に、メダル投入口８へのメダル投入に代えて１回のゲームに１〜３枚のメダルを賭ける際に使用される。
【００１９】
また、画像表示装置２２の下方には、左から、クレジットメダル精算スイッチ２９、スタートレバー３０、および停止ボタン３１、３２、３３が設けられている。クレジットメダル精算スイッチ２９はパチスロ機１にクレジットされているメダルを精算する際に使用される。また、スタートレバー３０の操作により各リール２〜４の回転が一斉に開始する。停止ボタン３１、３２、３３は、各リール２〜４に対応して配置されており、これら各リール２〜４の回転が一定速度に達した場合に操作が有効化され、遊技者の操作に応じて各リール２〜４の回転を停止する。
【００２０】
また、パチスロ機１の正面下部にはメダル受皿３４が設けられている。このメダル受皿３４はメダル払出口３５から払い出されるメダルを貯めるものである。また、パチスロ機１の正面上部には、入賞に対してどれだけのメダルが払い出されるかを示す配当表示部３６が設けられ、その左右にスピーカ８２Ｌ、８２Ｒが取り付けられている。
【００２１】
そして、停止ボタン３１〜３３とメダル受皿３４とに上下を挟まれた位置には、機種のモチーフに対応したデザインが表された腰部パネル３８が取り付けられている。
【００２２】
図２はリール２、３、４の外周面に表される図柄列を示す。各図柄列は、複数種類の図柄を２１個配列して構成される。本形態では、この図２に示すように“７”（図柄９１）、“パンチＡ”（図柄９２）、“パンチＢ”（図柄９３）、“パンチングボール”（図柄９４）、“ベル”（図柄９５）、“チェリー”（図柄９６）、“リベンジ”（図柄９７）の７種類の図柄が設定されている。各図柄には、“１”〜“２１”のコードナンバーが付され、図柄テーブルとしてＲＯＭに格納されている。各リール２、３、４は、図柄列が図の矢印方向に移動するように回転駆動される。
【００２３】
図３に示すように、筐体の本体部Ｓ１内には、内部空間を上下に区画する仕切り板４０が取り付けられている。仕切り板４０に仕切られた上部空間には、メイン制御基盤４１およびリールユニット４２が上下に配置されている。
【００２４】
ここで、メイン制御基盤４１はマイクロコンピュータを主な構成要素とし、これに乱数サンブリングのための回路を加えて構成されており、当選、非当選を決定する内部抽選、リール２、３、４の回転および停止、メダル払い出し制御などを行う。リールユニット４２には前述したリール２、３、４やこれらを回転駆動するステッピングモータなどが格納されている。
【００２５】
仕切り板４０の下側に位置する下部空間には、払い出されるメダルが収納されるホッパー４４がその略中央に設置されている。そして、ホッパー４４の右下にはホッパー４４から溢れ出したメダルが入るメダル補助収納庫４５が配置され、ホッパー４４の下にはホッパー４４内のメダルを入賞枚数に応じてメダル払い出し口から払い出す払出ユニット４６が配置されている。また、ホッパー４４の左側には、遊技不能状態からの復帰時に用いられるリセットスイッチ、ＢＢの当選確率を調整する設定スイッチなどが設けられ、メインスイッチの操作によりパチスロ機１への電源供給を行う電源ユニットが電源用ハウジング４７内に収納されて設置されている。
【００２６】
ここで、図３に示すように、筐体の他方側である前面扉Ｓ２内には、最上部に、各遊技状態に応じて点滅パターンを表示する遊技状態表示基盤５０が設置されている。遊技状態表示基盤５０の下側で配当表示部３６の裏側には、配当表示部３６を照明するための冷陰極管のインバータである冷陰極管インバータ５２およびリール２〜４を照明する冷陰極管５４のインバータである冷陰極管インバータ５３が設置されている。また、冷陰極管インバータ５２、５３の左右には、前述したスピーカ８２Ｌ、８２Ｒが位置している。
【００２７】
表示窓５〜７の上側には、遊技状態表示基盤５０、冷陰極管インバータ５２、５３、スピーカ８２Ｌ、８２Ｒおよび後述するサブ制御基盤５５を中継する上部中継基盤５６が配置されている。
【００２８】
表示窓５〜７の下方には、画像表示装置２２の表示内容、リール図柄表示ランプ、リール図柄表示ＬＥＤ、遊技状態表示基盤５０、スピーカ８２Ｌ、８２Ｒによる効果音および通信の制御をするためのサブ制御基盤５５が、中央よりもやや下方に配置されている。また、サブ制御基盤５５を回避するようにして、投入されたメダルがメダル受皿３４に返却されるときに通る通路である遊技メダルキャンセルシュート６３が取り付けられている。
【００２９】
図４は、パチスロ遊技機の筐体を構成する本体部Ｓ１の外観を示す図である。図５は本体部Ｓ１の裏底を示す図である。図４に示すように、本体部Ｓ１は、遊技者側から見て前面側が開口されており、箱状に形成されている。具体的には、本体部Ｓ１は、遊技者側から見て左右に配置される２つの側板Ｓ１ａ，Ｓ１ｂと、遊技者側から見て上下に配置される上板Ｓ１ｃ及び底板Ｓ１ｄと、遊技者側から見て奥側に配置される背面板Ｓ１ｅとが組み合わされることにより構成されている。
【００３０】
側板Ｓ１ａ，Ｓ１ｂ、及び底板Ｓ１ｄには、本体部Ｓ１の外部から内部に向けて突出された平坦な面を有する絞り部１００ａ，１００ｂ，１００ｃが形成されている。この絞り部１００ｂには、払出ユニット４６の位置決めをするための窪み部１０１ｂが形成されている。なお、側板Ｓ１ａ，Ｓ１ｂ、及び底板Ｓ１ｄに加えて、上板Ｓ１ｃ及び背面板Ｓ１ｅにも絞り部が形成されてもよい。
【００３１】
底板Ｓ１ｄには、上述した絞り部１００ｂ，１００ｃに加えて、ユニット取付金具１１０と、メダル通過穴１２０と、カバー部材１３０と、木片１４０とが設けられている。ユニット取付金具１１０は、絞り部１００ｂ上にあり、且つ底板Ｓ１ｄを略２分する位置に配置され、払出ユニット４６を取り付けるための部材である。メダル通過穴１２０は、絞り部１００ｃの面上に形成されており、ホッパー４４から溢れ出たメダルをメダル補助収納庫４５で収容せずに外部に排出するための穴である。カバー部材１３０は、メダル通過穴１２０を塞ぐ部材であり、絞り部１００ｃと木片１４０とに固定されている。木片１４０は、右の側板Ｓ１ａの内側の下部に配置され、カバー部材１３０の一部が固定部材（例えば、ネジ、釘）により固定されるための部材である。
【００３２】
また、図５に示すように、底板Ｓ１ｄの裏面側にはさらに裏絞り部１００ｄが形成されている。裏絞り部１００ｄは、パチスロ機１の横幅の大きさと同程度の幅を有しており、本体部Ｓ１の内部から外部に向けて突出された平坦な面を構成している。この裏絞り部１００ｄと略並行に背面板Ｓ１ｅの下方端面Ｓ１１ｅが配置されており、この下方端面Ｓ１１ｅは、側板Ｓ１ａ，Ｓ１ｂの下方端面よりも下方に突出されている。本実施形態では、裏絞り部１００ｄの面及び下方端面Ｓ１１ｅは略同一の高さを有している。
【００３３】
図６及び図７はそれぞれ貫通穴３００，４００を示す図である。貫通穴３００，４００は、背面板Ｓ１ｅに形成されており、本体部Ｓ１の内部と外部とを貫通する穴である。貫通穴３００は、貫通穴３００は本体部Ｓ１を上下で略２分する位置よりもやや上に形成され（図４参照）、貫通穴４００は電源用ハウジング４７の裏面と向い合う位置に配置されている（図４、図７参照）。本実施形態では、貫通穴３００は電源を機器に供給するためのコードが挿通可能に形成され（図６参照）、貫通穴４００は遊技に関する情報を外部に出力するためのコードが挿通可能に形成されている（図７参照）。なお、遊技に関する情報には、メダルの投入枚数／払出枚数、ＢＢ又はＲＢが入賞した回数、パチスロ機１の電源が投入されてから開始された単位遊技の回数に関する情報などが挙げられる。
【００３４】
ここで、貫通穴３００，４００が形成される工程は、図６（ａ）に示すように、先ず穴３０１がプレス加工により開口される。この穴３０１が開口された際には穴３０１の縁部３０２が刃状に突出される。その後、図６（ｂ）に示すように、刃状に突出された縁部３０２が外側に折り返される。本実施形態では、図６（ｂ）に示す工程はヘミング加工が用いられている。これらの一連の工程が終了すると、図６（ｃ）に示すような貫通穴３００が形成される。また、貫通穴４００も同様の工程により形成される。なお、ヘミング加工されている穴は貫通穴３００，４００に限定されることなく、ホッパー４４から溢れ出たメダルがメダル補助収納庫４５の上限まで収容されていることを検知するための検知部（図示せず）が取り付けられる開口などであってもよい。
【００３５】
図８はスピーカ取付部２００を示す分解図である。図８に示すように、スピーカ取付部２００のそれぞれは、本体部Ｓ１を上下で略２分する位置よりもやや下方に設けられており、スピーカ（図示せず）が取り付け可能に左右に設けられている。このスピーカ取付部２００は、本体部Ｓ１の内部に設けられたスピーカから発せられる音を本体部Ｓ１の外部に放出可能に形成された貫通穴２０１と、カバー部材２０３又はスピーカを固定する固定部材２０５が嵌め込まれるための穴２０２と、貫通穴２０１を覆うためのカバー部材２０３とから構成されている。
【００３６】
ここで、図８に示すように、スピーカが取り付けられない場合には、背面板Ｓ１ｅに形成された穴２０２とカバー部材２０３に形成された穴２０４とが合せられて、固定部材２０５が穴２０２，２０４を介して本体部Ｓ１の内側から嵌め込まれることにより、カバー部材２０３が背面板Ｓ１ｅに固定される。一方、スピーカが取り付けられる場合には、背面板Ｓ１ｅに形成された穴２０２とスピーカに形成された穴（図示せず）とが合せられて、固定部材２０５がこれらの穴を介して本体部Ｓ１の内側から嵌め込まれることにより、スピーカが背面板Ｓ１ｅに固定される。なお、スピーカは、高音又は低音を放出可能に構成されている。
【００３７】
このような本発明によれば、貫通穴３００，４００の縁部を折曲して形成させるヘミング加工が施されていることにより、パチスロ機１はコードの損傷を防止可能な構造を持つことができる場合がある。すなわち、金属製で構成された本体部Ｓ１に貫通穴３００，４００が開口されると、該開口された縁部３０２が刃状に突出された形状となり、コードが縁部３０２により損傷されてしまうが、貫通穴３００，４００がヘミング加工されているため、パチスロ機１はコードの損傷を防止可能な構造を持つことができる場合がある。
【００３８】
特に、貫通穴３００が電源を機器に供給可能にするコードを挿通させるための穴であり、この貫通穴３００がヘミング加工されているため、パチスロ機１は、当該コードが損傷されたことによる感電を防止することができる場合がある。
【００３９】
また、遊技場において旧式のパチスロ機１が最新のパチスロ機１に交換された場合には、旧式のパチスロ機１の筐体Ｓ１が金属製であるため、金属製で構成された筐体Ｓ１が溶解されて他の形態として用いられることが可能となり、さらに筐体Ｓ１の外装が傷み難く、パチスロ機１は再利用し易い構造を持つことができる場合がある。
【００４０】
以上の説明においては、本発明を遊技機の一つであるパチスロ機１に適用した場合が説明されているが、本発明はこれに限定されるものではなく、パチンコ機、弾球式遊技機又はゲームセンターに設置された各種ゲーム機などに適用することが可能である。
【図面の簡単な説明】
【００４１】
【図１】本発明の一形態であるパチスロ機を示す正面図である。
【図２】パチスロ機に設けられたリールの外周面に表される図柄列を示す説明図である。
【図３】パチスロ機における本体部に取り付けられた各機器の位置関係を示す正面図である。
【図４】パチスロ機における本体部の正面を示す図である。
【図５】パチスロ機における本体部の側面及び裏面を示す図である。
【図６】パチスロ機における貫通穴を示す図である（その１）。
【図７】パチスロ機における貫通穴を示す図である（その２）。
【図８】パチスロ機における本体部に取り付けられるスピーカ取付部を示す図である。
【符号の説明】
【００４２】
１…パチスロ機、２…リール、５〜７…表示窓、８…メダル投入口、９〜１２…遊技状態表示ランプ、１３〜１５…賭数表示ランプ、１６…クレジット表示部、１７…スタートランプ、１８…ボーナスカウント表示部、１９…ＷＩＮランプ、２０…配当枚数表示部、２１…インサートランプ、２２…画像表示装置、２３…十字キー、２４…Ａボタン、２５…Ｂボタン、２６〜２８…ＢＥＴスイッチ、２９…クレジットメダル精算スイッチ、３０…スタートレバー、３１〜３３…停止ボタン、３４…メダル受皿、３５…メダル払出口、３６…配当表示部、３７…迫り出し部分、３８…腰部パネル、４０…板、４１…メイン制御基盤、４２…リールユニット、４４…ホッパー、４５…メダル補助収納庫、４６…払出ユニット、４７…電源用ハウジング、５０…遊技状態表示基盤、５２…冷陰極管インバータ、５３…冷陰極管インバータ、５４…冷陰極管、５５…サブ制御基盤、５６…上部中継基盤、６３…遊技メダルキャンセルシュート、１００…絞り部、１１０…ユニット取付金具、１２０…メダル通過穴、１３０…カバー部材、１４０…木片、２００…スピーカ取付部、２０１…貫通穴、２０２…穴、２０３…カバー部材、２０４…穴、２０５…固定部材、３００…貫通穴、３０１…穴、３０２…縁部、４００…貫通穴
【図１】
2006006415.tif 000003
【図２】
2006006415.tif 000004
【図３】
2006006415.tif 000005
【図４】
2006006415.tif 000006
【図５】
2006006415.tif 000007
【図６】
2006006415.tif 000008
【図７】
2006006415.tif 000009
【図８】
2006006415.tif 000010